(57)【要約】【課題】  メイン液晶パネルとサブ液晶パネルとを共通の駆動用ＩＣで駆動する液晶装置において、駆動回路を複雑にすることなく、メイン液晶パネルの表示ムラを確実に防止でき、表示品位の高い液晶装置を提供する。【解決手段】  本発明の液晶装置は、メインパネル２（第１液晶パネル）と、サブパネル３（第２液晶パネル）と、双方のパネルを駆動する駆動用ＩＣとを備え、メインパネル上のセグメント電極（配線）は、サブパネル上のセグメント電極に接続されたセグメント電極１９ａ（第１配線）と、サブパネル上のセグメント電極に接続されていないセグメント電極１９ｂ（第２配線）とを含み、サブパネル上のセグメント電極に接続されたセグメント電極１９ａの幅Ｗｇが、サブパネル上のセグメント電極に接続されていないセグメント電極１９ｂの幅Ｗｒ，Ｗｂよりも小さい。【選択図】        図５
2007093668.tif 000002
【特許請求の範囲】
【請求項１】
複数のサブ画素によって表示領域を構成する第１液晶パネルと、第２液晶パネルと、前記第１液晶パネルと前記第２液晶パネルの双方に信号を供給して駆動する駆動用半導体素子とを備え、
前記第１液晶パネルには、
前記駆動用半導体素子から信号が供給され、前記第２液晶パネルに設けられた配線に接続された第１配線と、
前記駆動用半導体素子から信号が供給され、前記第２液晶パネルに設けられた配線に接続されていない第２配線と、
前記サブ画素と重なる領域に配置された複数の色からなる着色層を備えたカラーフィルタと、が設けられ、
前記第１配線に供給された信号によって表示される前記サブ画素には、前記複数の色のうちの所定の色の前記着色層が対応して配置され、
前記第２配線に供給された信号によって表示される前記サブ画素には、前記複数の色のうちの前記所定の色以外の色の前記着色層が対応して配置されていることを特徴とする液晶装置。
【請求項２】
複数のサブ画素によって表示領域を構成する第１液晶パネルと、第２液晶パネルと、前記第１液晶パネルと前記第２液晶パネルの双方に信号を供給して駆動する駆動用半導体素子とを備え、
前記第１液晶パネルには、
前記駆動用半導体素子から信号が供給され、前記第２液晶パネルに設けられた配線に接続された第１配線と、
前記駆動用半導体素子から信号が供給され、前記第２液晶パネルに設けられた配線に接続されていない第２配線と、が設けられ、
前記第１配線の幅が前記第２配線の幅より小さいことを特徴とする液晶装置。
【請求項３】
前記第１液晶パネルに、前記サブ画素と重なる領域に配置された複数の色からなる着色層を備えたカラーフィルタが設けられ、
前記第１配線に供給された信号によって表示される前記サブ画素には、前記複数の色のうちの所定の色の前記着色層が対応して配置され、前記第２配線に供給された信号によって表示される前記サブ画素には、前記複数の色のうちの前記所定の色以外の色の前記着色層が対応して配置されていることを特徴とする請求項２に記載の液晶装置。
【請求項４】
前記第２液晶パネルに設けられた前記配線、該配線に接続された前記第１液晶パネルの前記第１配線、および前記第１液晶パネルの前記第２配線はいずれも表示電極として機能するセグメントラインであり、前記第１液晶パネルおよび前記第２液晶パネルには、前記駆動用半導体素子にそれぞれ電気的に接続されたコモンラインが設けられ、前記セグメントラインと前記コモンラインの交差する領域に前記サブ画素の領域が構成されていることを特徴とする請求項１ないし請求項３のいずれか一項に記載の液晶装置。
【請求項５】
前記カラーフィルタの前記着色層の前記複数の色は、赤色と緑色と青色とを有し、前記第１配線に対応するサブ画素の領域には前記赤色もしくは前記緑色の前記着色層が対応して配置されていることを特徴とする請求項１または請求項３に記載の液晶装置。
【請求項６】
前記駆動用半導体素子が前記第１液晶パネル上に実装されていることを特徴とする請求項１ないし５のいずれか一項に記載の液晶装置。
【請求項７】
前記第２液晶パネルに設けられた前記配線は、少なくとも前記第１液晶パネルに設けられた前記第１配線を経由して前記駆動用半導体素子に電気的に接続されていることを特徴とする請求項１ないし６のいずれか一項に記載の液晶装置。
【請求項８】
請求項１ないし７のいずれか一項に記載の液晶装置を備えたことを特徴とする電子機器。
【発明の詳細な説明】
【技術分野】
【０００１】
本発明は、液晶装置および電子機器に関し、特にメインパネルとサブパネルとを備え、これらを一つの駆動用半導体素子で駆動する形態の液晶装置に関するものである。
【背景技術】
【０００２】
近年、携帯電話機等の携帯用電子機器においては、例えば画像情報表示用として高精細のカラー表示が可能なメイン液晶パネルと、メイン液晶パネルよりも小型で日付、時計等の簡易な表示が可能なサブ液晶パネルとを表示部の両面に備えたものが提供されている。このようなメイン、サブの２つの液晶パネルを備えた液晶モジュールの場合、特に携帯機器に用いられる際には小型化、狭額縁化が要求される。そこで、１個の駆動用ＩＣを２つの液晶パネルで共有化し、この駆動用ＩＣから供給する駆動信号で２つの液晶パネルを駆動するものが提案されている（例えば、特許文献１参照）。この種の液晶装置では、２つの液晶パネルに別々の駆動用ＩＣを設置する必要がないため、小型化、狭額縁化が図れるとともに、部品点数の削減が図れることでコストの低減が実現できる。
【特許文献１】特開２００４−２９４７４７
【発明の開示】
【発明が解決しようとする課題】
【０００３】
上述したような液晶装置の場合、メイン液晶パネルの画素数がサブ液晶パネルの画素数よりも多いのが一般的である。すなわち、メイン液晶パネルの信号線の本数がサブ液晶パネルの信号線の本数よりも多い。したがって、１個の駆動用ＩＣから供給する信号で２つの液晶パネルを駆動するにあたって、メイン液晶パネル上の配線には、サブ液晶パネル上の配線に接続された配線とサブ液晶パネル上の配線に接続されていない配線とが混在することになる。この場合、これら２種類の配線で負荷容量が異なるため、サブ液晶パネル上の配線に接続されておらず、負荷容量が小さい配線は駆動能力が高く、サブ液晶パネル上の配線に接続され、負荷容量が大きい配線は駆動能力が低いことになる。その結果、メイン液晶パネルに表示ムラが発生するという問題があった。特に、メイン液晶パネルではカラー表示が行われる場合が多いため、画面上での色ムラが問題となる。
【０００４】
上記特許文献１でも同様の問題点を抱えているが、ここではメイン液晶パネル上の走査信号駆動回路にゲート信号線に接続されていないダミー用の回路を設けることで問題点の解決を図っている。しかしながら、この方法では、駆動回路の構成が複雑になり、新たな回路設計が必要になるという欠点があった。
【０００５】
本発明は、上記の課題を解決するためになされたものであって、メイン液晶パネルとサブ液晶パネルとを共通の駆動用ＩＣで駆動する形態の液晶装置において、駆動回路を複雑にすることなく、メイン液晶パネルの表示ムラを確実に防止でき、表示品位の高い液晶装置、およびこれを備えた電子機器を提供することを目的とする。
【課題を解決するための手段】
【０００６】
上記の目的を達成するために、本発明の液晶装置は、複数のサブ画素によって表示領域を構成する第１液晶パネルと、第２液晶パネルと、前記第１液晶パネルと前記第２液晶パネルの双方に信号を供給して駆動する駆動用半導体素子とを備え、前記第１液晶パネルには、前記駆動用半導体素子から信号が供給され、前記第２液晶パネルに設けられた配線に接続された第１配線と、前記駆動用半導体素子から信号が供給され、前記第２液晶パネルに設けられた配線に接続されていない第２配線と、前記サブ画素と重なる領域に配置された複数の色からなる着色層を備えたカラーフィルタと、が設けられ、前記第１配線に供給された信号によって表示される前記サブ画素には、前記複数の色のうち所定の色の前記着色層が対応して配置され、前記第２配線に供給された信号によって表示される前記サブ画素には、前記複数の色のうち前記所定の色以外の色の前記着色層が対応して配置されていることを特徴とする。
【０００７】
本発明の液晶装置における「第１液晶パネル」、「第２液晶パネル」にはパッシブマトリクス方式、アクティブマトリクス方式のいずれの液晶パネルを用いても良く、パッシブマトリクス方式の場合には「第１液晶パネル上の配線」、「第２液晶パネル上の配線」は液晶駆動用の電極を意味し、アクティブマトリクス方式の場合には画素スイッチング素子に接続されたデータ線や走査線を意味する。
【０００８】
従来、メイン液晶パネル（本願発明でいう第１液晶パネル）上の配線のうち、サブ液晶パネル（本願発明でいう第２液晶パネル）の配線に接続されていない配線（本願発明でいう第２配線）は駆動能力が高く、サブ液晶パネルの配線に接続された配線（本願発明でいう第１配線）は駆動能力が低いことに起因して表示ムラが発生していた。これは上記２種類の配線で負荷容量のバランスが取れていないことに起因する問題であることを本願発明者は見い出した。
【０００９】
そこで、本発明の液晶装置は、第１配線に供給された信号によって表示されるサブ画素に所定の色の着色層が対応して配置され、第２配線に供給された信号によって表示されるサブ画素には前記所定の色以外の色の着色層が対応して配置されているため、負荷容量の大きい配線に接続されたサブ画素と負荷容量の小さい配線に接続されたサブ画素の各々に対応する表示色が画面全体で同一となる。すなわち、例えば赤色または緑色の着色層が配置されたサブ画素は全て負荷容量の大きい配線に接続され、青色の着色層が配置されたサブ画素は全て負荷容量の小さい配線に接続されることになる。したがって、例えば液晶パネル全体に入射させる光（例えばバックライトの光）の色味を適宜調整する（上の例で言えば赤色または緑色を強くする）ことによって表示色の調整が可能となり、色ムラを低減させることができる。また、本発明の構成は、カラーフィルタの各着色層の配置で実現できるため、製造プロセス上の負担が掛からず、特許文献１のように駆動回路の構成が複雑になることもない。
【００１０】
また、本発明の他の液晶装置は、複数のサブ画素によって表示領域を構成する第１液晶パネルと、第２液晶パネルと、前記第１液晶パネルと前記第２液晶パネルの双方に信号を供給して駆動する駆動用半導体素子とを備え、前記第１液晶パネルには、前記駆動用半導体素子から信号が供給され、前記第２液晶パネルに設けられた配線に接続された第１配線と、前記駆動用半導体素子から信号が供給され、前記第２液晶パネルに設けられた配線に接続されていない第２配線と、が設けられ、前記第１配線の幅が前記第２配線の幅より小さいことを特徴とする。
【００１１】
本発明の他の液晶装置における「第１液晶パネル」、「第２液晶パネル」にはパッシブマトリクス方式、アクティブマトリクス方式のいずれの液晶パネルを用いても良く、パッシブマトリクス方式の場合には「第１液晶パネル上の配線」、「第２液晶パネル上の配線」は液晶駆動用の電極を意味し、アクティブマトリクス方式の場合には画素スイッチング素子に接続されたデータ線や走査線を意味する。「第１液晶パネル」、「第２液晶パネル」は、カラー表示を行うものであっても良いし、白黒表示を行うものであっても良い。
【００１２】
上記本発明の他の液晶装置は、第１液晶パネル上の配線のうち、第２液晶パネル上の配線に接続された第１配線の幅を第２液晶パネル上の配線に接続されていない第２配線の幅よりも小さくしたことによってこの問題を解決した。すなわち、第２液晶パネルがぶら下がったことで負荷容量が大きくなりがちな第１配線は幅を狭くすることによってこの配線自体の容量を小さくし、第１配線と第２配線の負荷容量を近づけるようにした。その結果、第１配線と第２配線の信号の駆動能力を近づけることができ、表示ムラを抑えることができる。また、本発明の構成は、配線形成時のマスクパターンの幅を一部変更するのみで実現できるため、製造プロセス上の負担が掛からず、特許文献１のように駆動回路の構成が複雑になることもない。
【００１３】
上記本発明の他の液晶装置において、前記第１液晶パネルに、前記サブ画素と重なる領域に配置された複数の色からなる着色層を備えたカラーフィルタが設けられ、前記第１配線に供給された信号によって表示される前記サブ画素には、前記複数の色のうちの所定の色の前記着色層が対応して配置され、前記第２配線に供給された信号によって表示される前記サブ画素には、前記複数の色のうちの前記所定の色以外の色の前記着色層が対応して配置されていることが望ましい。
【００１４】
この構成によれば、本発明の他の液晶装置をカラー表示とした場合に各色のサブ画素間での駆動能力のバランスが良くなるため、表示色の調整が可能となり、色ムラを含む表示ムラを低減させることができる。
【００１５】
上記本発明の液晶装置あるいは他の液晶装置において、前記第２液晶パネルに設けられた前記配線、該配線に接続された前記第１液晶パネルの前記第１配線、および前記第１液晶パネルの前記第２配線はいずれも表示電極として機能するセグメントラインであり、前記第１液晶パネルおよび前記第２液晶パネルには、前記駆動用半導体素子にそれぞれ電気的に接続されたコモンラインが設けられ、前記セグメントラインと前記コモンラインの交差する領域に前記サブ画素の領域が構成されていてもよい。
【００１６】
ここで、第１液晶パネルが例えばカラーフィルタを備え、カラー表示を行うものであって、パッシブマトリクス方式である場合には、第１液晶パネル上の配線（すなわちセグメントラインである表示電極）の幅を変えることは各色毎のサブ画素の面積を変えることと等価である。したがって、第１配線の幅を第２配線の幅より小さくした場合、例えばカラーフィルターが３色であれば、３色のうちの１色のサブ画素は常に他の２色のサブ画素よりも面積が小さいことになる。このように、複数の基本色のうちの所定の色のサブ画素の面積を他の色のサブ画素と変えることによって、表示ムラを抑えつつ第１液晶パネルの表示色を調整することができる。
【００１７】
より具体的には、カラーフィルターの着色層の前記複数の色が赤色、緑色、青色を有する場合、第１配線に対応するサブ画素には赤色もしくは緑色の着色層が対応して配置されていることが望ましい。
液晶パネルによる表示は、各種構成部材の影響で白色が黄色味がかってしまうことがあり、見栄えを悪くする。この表示色は黄色の補色である青色の色調を強くすることで改善することができる。したがって、第２液晶パネル接続配線を赤色着色層もしくは緑色着色層に対応するサブ画素に設けると、これらのサブ画素に比べて青色のサブ画素の面積が相対的に大きくなり、ホワイトバランスの調整を行うことができる。
【００１８】
前記駆動用半導体素子は、前記第１液晶パネル上に実装されていることが望ましい。
本発明では、液晶パネル上の配線の本数は、必然的に第１液晶パネルが第２液晶パネルよりも多いことになる。したがって、第１，第２液晶パネルを共通に駆動する駆動用半導体素子を第１液晶パネル上に実装した方が配線を引回しやすく、設計が容易になる。
【００１９】
前記第２液晶パネルに設けられた前記配線は、少なくとも前記第１液晶パネルに設けられた前記第１配線を経由して前記駆動用半導体素子に電気的に接続されていることが望ましい。
この構成によれば、駆動用半導体素子から第２液晶パネルに向けて引き回す配線の数を少なくすることができ、設計が容易になる。
【００２０】
本発明の電子機器は、上記本発明の液晶装置を備えたことを特徴とする。
本発明によれば、特に第１液晶パネルの表示ムラがなく、表示品位に優れた液晶表示部を備えた電子機器を提供することができる。
【発明を実施するための最良の形態】
【００２１】
［第１の実施の形態］
以下、本発明の第１の実施の形態を図１〜図５を参照して説明する。
図１は、本実施形態の液晶モジュール（液晶装置）の全体構成を示す斜視図、図２は、同、液晶モジュールの断面図、図３は、図１，図２においてフレキシブルコネクタの部分で折り曲げられた液晶モジュールを展開した状態で示す概略平面図、図４は、同、詳細平面図、図５は、同、液晶モジュールの各パネルにおける各画素の形状を示す平面図、である。なお、各図においては、図面を見やすくするため、各構成要素の膜厚や寸法の比率などは適宜異ならせてある。
【００２２】
本実施形態の液晶モジュール１は、図１に示すように、メインパネル２（第１液晶パネル）と、サブパネル３（第２液晶パネル）と、これらの間に配置されたバックライト４と、メインパネル２とサブパネル３とを接続するフレキシブルコネクタ５と、メインパネル２上に実装された駆動用ＩＣ６（駆動用半導体素子）と、駆動用ＩＣ６に外部から信号を供給するためのフレキシブル基板７とから概略構成されている。この液晶モジュール１は、例えば携帯電話機等の表示部の両面で表示を行う用途に用いられるものであり、メインパネル２は図１における上側が視認側であり、サブパネル３は図１における下側が視認側である。また、本実施形態では、メインパネル２がカラー表示、サブパネル３が白黒表示を行うものであり、メインパネル２、サブパネル３ともにパッシブマトリクス方式の透過型液晶パネルの例である。
【００２３】
液晶モジュール１の各部の詳細な構成を説明する。
図２に示すように、メインパネル２とサブパネル３との間にバックライト４が設けられている。バックライト４は光源８と導光板９とを有しており、導光板９は光源８から出た光Ｌをメインパネル２側とサブパネル３側の両面に射出する構成となっている。
【００２４】
メインパネル２については、ともにガラス、プラスチック等の透明基板からなる第１基板１１（視認側の基板）と第２基板１２（バックライト側の基板）とがシール材１３を介して所定の間隔をおいて貼り合わされ、これら基板１１，１２とシール材１３とに囲まれた領域に液晶１４が封入されている。第２基板１２の液晶側の面には、インジウム錫酸化物（Indium Tin Oxide, 以下、ＩＴＯと略記する）等の透明導電膜からなる複数のコモン電極１５（コモンライン）がストライプ状に形成され、これらコモン電極１５を覆うように配向膜１６が形成されている。
【００２５】
一方、第１基板１１の液晶側の面には、基板側から順にカラーフィルター１７、オーバーコート層１８（平坦化層）、セグメント電極１９（セグメントライン）、配向膜２０が設けられている。セグメント電極１９の両端はセグメント電極１９の引回し配線２１，２２となってシール材１３の外側に延在している。第１基板１１の外形は第２基板１２の外形よりも大きく、第２基板１２の外側に張り出した第１基板１１の張り出し領域の一方（図２における左側の部分）には駆動用ＩＣ６が実装されている。駆動用ＩＣ６の出力端子はセグメント電極１９の一方の引回し配線２２に接続され、駆動用ＩＣ６の入力端子は外部接続端子２３を介してフレキシブル基板７に接続されている。第１基板１１の張り出し領域の他方（図２における右側の部分）にはフレキシブルコネクタ５が実装され、セグメント電極１９の他方の引回し配線２１と電気的に接続されている。また、第１基板１１の液晶と反対側の面には第１位相差板２４、第２位相差板２５、偏光板２６がそれぞれ設けられている。第２基板１２の液晶と反対側の面には位相差板２７、偏光板２８がそれぞれ設けられている。
【００２６】
サブパネル３については、ともにガラス、プラスチック等の透明基板からなる第１基板３１（視認側の基板）と第２基板３２（バックライト側の基板）とがシール材３３を介して所定の間隔をおいて貼り合わされ、これら基板３１，３２とシール材３３とに囲まれた領域に液晶３４が封入されている。第２基板３２の液晶側の面には、ＩＴＯ等の透明導電膜からなる複数のコモン電極３５がストライプ状に形成され、これらコモン電極３５を覆うように配向膜３６が形成されている。
【００２７】
一方、第１基板３１の液晶側の面には、セグメント電極３７、配向膜３８が設けられており、サブパネル３にはカラーフィルターは設けられていない。セグメント電極３７の一端はセグメント電極３７の引回し配線３９となってシール材３３の外側に延在している。第１基板３１の外形は第２基板３２の外形よりも大きく、第１基板３１の張り出し領域にはフレキシブルコネクタ５が実装され、セグメント電極３７の引回し配線３９と電気的に接続されている。また、第１基板３１の液晶と反対側の面には偏光板４０が設けられ、第２基板３２の液晶と反対側の面には基板側から順に偏光板４１、半透過反射板４２が設けられている。サブパネル３の最もバックライト側の面に半透過反射板４２が設けられたことによって、バックライト４からサブパネル側に射出された光の一部が半透過反射板４２で反射してメインパネル側に向けて射出されるため、メインパネル２の明るさを向上させることができる。
【００２８】
次に、各パネルの電極の構成について説明する。
図３は、電極の接続関係を見やすくするため、電極を１本の実線で示した図である。図４は、電極を、シール材等の構成部材も含めて図３よりも実体的に示した図である。
メインパネル２においては、図４に示すように、基板の外周に沿ってシール材１３が矩形環状に設けられているとともに、シール材１３の内側には周辺見切りなどと呼ばれる周辺遮光膜４４が矩形環状に設けられている。周辺遮光膜４４に囲まれた内側の領域が表示領域Ｈとなる。表示領域Ｈには、図中縦方向に延在する複数のセグメント電極１９がストライプ状に形成されている。一方、セグメント電極１９と直交するように図中横方向に延在する複数のコモン電極１５がストライプ状に形成されている。ここで、セグメント電極１９とコモン電極１５とが互いに交差することにより、平面的に見て重なり合った矩形状の領域が形成され、この領域が「サブ画素」を構成する。また、表示領域における各サブ画素には、カラー表示を行うべく、カラーフィルターの赤（Ｒ）、緑（Ｇ）、青（Ｂ）の各色からなる着色層が設けられている。そして、Ｒ、Ｇ、Ｂの３個のサブ画素で１つの表示単位となる１個の画素が構成される。
【００２９】
図３に示すように、メインパネル２上の全てのセグメント電極１９、コモン電極１５とサブパネル３上の全てのセグメント電極３７、コモン電極３５は、メインパネル２上に実装された駆動用ＩＣ６に電気的に接続されており、駆動用ＩＣ６からの駆動信号がこれら全ての電極に供給される構成となっている。本実施形態においては、メインパネル２のセグメント電極１９の本数がＲ、Ｇ、Ｂの各色毎に１２８本で合計３８４本、サブパネル３のセグメント電極３７の本数が１２８本であり、メインパネル２のセグメント電極１９の本数がサブパネル３のセグメント電極３７の本数の３倍である。駆動用ＩＣ６から見ると、電極及び配線の接続関係は、メインパネル２上のセグメント電極１９、フレキシブルコネクタ５上の配線４５、サブパネル３上のセグメント電極１９の順に直列接続された形態となっている。したがって、メインパネル２上のセグメント電極１９のうち、１／３（１２８本）はサブパネル３上のセグメント電極３７に接続された電極１９ａ（第１配線）であり、２／３（２５６本）はサブパネル３上のセグメント電極３７に接続されていない電極１９ｂ（第２配線）となる。
【００３０】
本実施形態の場合、カラーフィルター１７の着色層の配置パターンは縦ストライプ型であり、図３、図４の横方向（コモン電極１５の延在する方向）にＲ，Ｇ，Ｂ，Ｒ，Ｇ，Ｂ，…の順に繰り返し配列されている。そして、全てのＧのサブ画素に対応するセグメント電極１９ａにサブパネル３上のセグメント電極３７が接続され、全てのＲのサブ画素およびＢのサブ画素に対応するセグメント電極１９ｂにはサブパネル３上のセグメント電極３７が接続されていない。したがって、図３に示すように、メインパネル２上において、サブパネル３上のセグメント電極３７が接続されたセグメント電極１９ａは２本おきに配置されたことになる。
【００３１】
なお、コモン電極１５については、駆動用ＩＣ６が実装された基板と反対側の基板に形成されているため、駆動用ＩＣ６からの信号をコモン電極１５に供給するためには、コモン電極１５と引回し配線４６とを２枚の基板間で導通させる必要がある。そこで、シール材１３の中に金属で被覆された導通粒子を含有させておき、図４に示すように、コモン電極１５の一端と引き回し配線４６の一端をシール材１３と重なる位置まで延在させ、この箇所で基板間を導通させる構成を採っている。図３に示すように、メインパネル２については、駆動用ＩＣ６とコモン電極１５とを、駆動用ＩＣ６、引き回し配線４６、シール材１３中の導通粒子４７、コモン電極１５という経路で接続している。一方、サブパネル３については、駆動用ＩＣ６とコモン電極３５とを、駆動用ＩＣ６、メインパネル２内の引回し配線４８、フレキシブルコネクタ５上の引回し配線４９、サブパネル３上の引回し配線５０、シール材中の導通粒子５１、コモン電極３５という経路で接続している。
【００３２】
上述したように、メインパネル２内のＧのサブ画素に対応するセグメント電極１９ａにサブパネル３上のセグメント電極３７が接続され、Ｒのサブ画素およびＢのサブ画素に対応するセグメント電極１９ｂにはサブパネル３上のセグメント電極３７が接続されていない。そこで、図５に示すように、Ｇのサブ画素に対応するセグメント電極１９ａの幅Ｗｇは、Ｒのサブ画素およびＢのサブ画素に対応するセグメント電極１９ｂの幅Ｗｒ、Ｗｂよりも小さく設定されている。さらに、本実施形態においては、Ｒのサブ画素に対応するセグメント電極１９ｂの幅Ｗｒは、Ｂのサブ画素に対応するセグメント電極１９ｂの幅Ｗｂよりも小さく設定されている。パッシブマトリクス方式の場合、セグメント電極の幅がそのままサブ画素の水平方向の寸法に対応するので、サブ画素の水平方向の寸法は、Ｇのサブ画素、Ｒのサブ画素、Ｂのサブ画素の順に大きく設定されている。なお、コモン電極１５の幅Ｗｃｍは全てのサブ画素で変わらないので、サブ画素の垂直方向の寸法は全て同一である。
【００３３】
具体的な一例として図５に示すように、本実施形態の場合、メインパネル２は、Ｇのサブ画素に対応するセグメント電極１９ａの幅Ｗｇが６０μｍ、Ｒのサブ画素に対応するセグメント電極１９ｂの幅Ｗｒが７３μｍ、Ｂのサブ画素に対応するセグメント電極１９ｂの幅Ｗｂが７７μｍ、である。セグメント電極１９の本数は上述の通り、１２８本×３色＝３８４本である。また、コモン電極１５の幅Ｗｃｍは２１０μｍ、コモン電極１５の本数は１２８本である。一方、サブパネル３は、セグメント電極３７の幅Ｗｓが２０１μｍ、セグメント電極３７の本数は１２８本、コモン電極３５の幅Ｗｃｓは２０１μｍ、コモン電極３５の本数は３２本である。
【００３４】
本実施形態の液晶モジュール１においては、サブパネル３のセグメント電極３７が接続されたことで負荷容量が大きくなりがちなメインパネル２のＧの画素に対応するセグメント電極１９ａの幅を狭くすることでこの配線自体の容量を小さくし、セグメント電極１９ａ，１９ｂの負荷容量を極力近づけるようにした。その結果、各セグメント電極１９ａ，１９ｂの信号の駆動能力を近づけることができるため、メインパネル２の表示ムラを抑えることができる。また、この構成は、配線形成時のマスクパターンの幅を一部変更するのみで実現できるため、製造プロセス上の負担が掛からず、駆動回路の構成が複雑になることもない。
【００３５】
さらに、液晶表示は白色が黄色味がかってしまう傾向があるが、本実施の形態では、各画素の面積をＧのサブ画素、Ｒのサブ画素、Ｂのサブ画素の順に大きく設定したことによって、黄色の補色である青色のサブ画素の面積が相対的に大きくなり、ホワイトバランスの調整を行うことができる。また、駆動用ＩＣ６がメインパネル２上に実装されているため、配線を引回しやすく、設計が容易になるという利点もある。
【００３６】
［第２の実施の形態］
以下、本発明の第２の実施の形態について図６を用いて説明する。
図６は本実施形態の液晶モジュールの断面図であり、第１実施形態の図２に対応する図である。本実施形態の液晶モジュールの基本構成は第１実施形態と同様であり、メインパネルが半透過反射型の液晶パネルである点のみが第１実施形態と異なっている。
したがって、図６において図２と共通の構成要素には同一の符号を付し、詳細な説明は省略する。
【００３７】
本実施形態の液晶モジュール６１は、図６に示すように、メインパネル２の構成が第１実施形態と異なっている。すなわち、第２基板１２の液晶側の面に半透過反射膜６２が形成され、半透過反射膜６２上に複数のコモン電極１５が形成されている。半透過反射膜６２の具体的な構成としては、この図に示すように、アルミニウム等の光反射率の高い金属からなる反射膜に開口部６２ａを設け、開口部６２ａを光透過部としたものでもよいし、開口部を設ける代わりに反射膜の膜厚を調整することによって光を一部反射、一部透過させるようにしたものでもよい。この構成では、外光の強い場所でメインパネルを見る場合にはバックライト４を消灯し、反射表示を行うことで低消費電力化を図ることができる。
【００３８】
本実施形態の液晶モジュール６１においても、製造プロセスや駆動回路を複雑にすることなくメインパネル２の表示ムラを抑えることができるとともに、ホワイトバランスの調整を行うことができる、といった第１実施形態と同様の効果を得ることができる。
【００３９】
［電子機器］
以下、上記実施形態の液晶モジュールを備えた電子機器の例について説明する。
図７は、電子機器の一例である携帯電話を示した斜視図である。図７に示すように、携帯電話３００は、筺体３０１、複数の操作ボタンが設けられた操作部３０２、画像や動画、文字等を表示する表示部３０３を備えている。表示部３０３には上記実施形態に係る液晶モジュールが搭載されており、実線で示す表面側がメインパネル２となり、破線で示す裏面側がサブパネル３となる。
図７に示した電子機器は、上記実施形態の液晶モジュールを用いた液晶表示部を備えているので、特にメインパネルの表示ムラがなく、表示品位に優れた液晶表示部を備えた電子機器を実現することができる。
【００４０】
なお、本発明の技術範囲は上記実施の形態に限定されるものではなく、本発明の趣旨を逸脱しない範囲において種々の変更を加えることが可能である。例えば上記実施の形態では、メインパネルがカラー表示、サブパネルが白黒表示を行う例を示したが、本発明では各パネルとカラー表示、白黒表示との組み合わせはいずれであっても良い。例えばメインパネル、サブパネルがともに白黒表示の場合には、色調整の効果は得られないものの、メインパネルのセグメント電極間で生じる駆動能力のバラツキに起因して白黒表示の表示ムラが発生するのを防止することができる。
【００４１】
また、上記実施の形態では、メインパネル、サブパネルともにパッシブマトリクス方式の例を挙げたが、アクティブマトリクス方式の液晶パネルに本発明を適用しても良い。アクティブマトリクス方式の場合、配線幅の変更の対象がデータ線や走査線となり、これらの配線幅の変更が直接サブ画素の面積の違いになるわけではないが、やはり駆動能力のバラツキに起因して表示ムラが発生するのを回避することができる。
【００４２】
さらに、上記実施の形態では、緑色のサブ画素に対応するセグメント電極の幅を赤色や青色のサブ画素に対応するセグメント電極の幅よりも小さくしたが、必ずしも小さくする必要はなく、全ての幅を等しくした構成も考えられる。その場合でも、第２液晶パネル側の配線に接続された配線に対応するサブ画素を緑色、第２液晶パネル側の配線に接続されていない配線に対応するサブ画素を赤色、青色に統一したことによって、例えばバックライトの光の色味を緑色が強くなるように適宜調整すれば、表示色の調整が可能となり、色ムラを低減させることができる。
【実施例１】
【００４３】
本発明者は、本発明による色調整の効果を実証するために、シミュレーションを行った。以下、その結果について報告する。
実施例１として、上記実施形態の段落［００２７］で例示したセグメント電極幅（サブ画素）寸法を持つ液晶モジュールを想定した。比較例１として、メインパネルのみでサブパネルを持たない単体の液晶パネルを想定した。従来例１として、セグメント電極の幅を変えることなく、Ｒ，Ｇ，Ｂのサブ画素に対応するセグメント電極の幅を全て７０μｍとし、他の条件は実施例１と同様にした液晶モジュールを想定した。これら３つのサンプルを用い、メインパネルの各サブ画素（Ｒ，Ｇ，Ｂ）の各表示色の色度と、これらの加法混色によって得られる白表示色の色度をシミュレーションした結果を図８のｘｙ色度図に示す。
【００４４】
サブパネルを持たない比較例１に対して、従来例１では、メインパネルの緑表示色の発色が悪くなっている。これは、メインパネルの緑のサブ画素に対応するセグメント電極にサブパネルのセグメント電極を接続したことで容量が増え、駆動波形がなまったためである。それに対して、実施例１では、サブパネルのセグメント電極が接続されたメインパネルの緑のサブ画素に対応するセグメント電極の幅を６０μｍと他のセグメント電極よりも狭くしたことによって従来例１に比べて容量が減っている。そのため、サブパネルのセグメント電極が接続されているにもかかわらず駆動波形のなまりを小さくでき、メインパネルの緑表示色の発色の劣化を防止することができた。さらに、白表示色を見ると、比較例１では黄緑色がかっていたのに対し、実施例１では黄緑色が抑えられ、より白色に近づけることができた。
【図面の簡単な説明】
【００４５】
【図１】本発明の第１実施形態の液晶モジュールの全体構成を示す斜視図である。
【図２】同、液晶モジュールの断面図である。
【図３】同、液晶モジュールを展開した状態で示す概略平面図である。
【図４】図３の詳細平面図である。
【図５】同、液晶モジュールの各パネルの各画素の形状を示す平面図である。
【図６】本発明の第２実施形態の液晶モジュールの断面図である。
【図７】本発明の電子機器の一例を示す斜視図である。
【図８】本発明の効果を実証するためのシミュレーション結果を示す色度図である。
【符号の説明】
【００４６】
１，６１…液晶モジュール（液晶装置）、２…メインパネル（第１液晶パネル）、３…サブパネル（第２液晶パネル）、４…バックライト、５…フレキシブルコネクタ、６…駆動用ＩＣ（駆動用半導体素子）、１５…（メインパネルの）コモン電極、１７…カラーフィルター、１９…（メインパネルの）セグメント電極、１９ａ…（サブパネルのセグメント電極に接続された）メインパネルのセグメント電極（第１配線）、１９ｂ…（サブパネルのセグメント電極に接続されていない）メインパネルのセグメント電極（第２配線）、３５…（サブパネルの）コモン電極、３７…（サブパネルの）セグメント電極。
【図１】
2007093668.tif 000003
【図２】
2007093668.tif 000004
【図３】
2007093668.tif 000005
【図４】
2007093668.tif 000006
【図５】
2007093668.tif 000007
【図６】
2007093668.tif 000008
【図７】
2007093668.tif 000009
【図８】
2007093668.tif 000010